(57)【要約】【課題】  操舵感覚を向上し得る電気式動力舵取装置を提供する。【解決手段】  電気式動力舵取装置では、モータやトルクセンサ等のハードウェアに一旦は電気的異常が発生しモータによるアシスト力の出力が減少しても、その後、何らかの理由により電気的異常が解消し、この間の異常継続時間t2が所定閾値時間th未満である場合には、モータによるアシスト力の出力が急増目標値まで直ちに増加するので（符号β）、ステアリングホイールが急に重くなるような操舵感覚を与えることを防止できる。一方、異常継続時間t1が所定閾値時間th以上である場合には、モータによるアシスト力の出力が漸増目標値まで徐々に増加するので（符号α）、「急に舵が抜ける」というような操舵感覚を与えることを防止できる。したがって、異常継続時間の長さに応じてアシスト力の急増または漸増を決定するので、操舵感覚を向上することができる。【選択図】  図４
2006036052.tif 000002
【特許請求の範囲】
【請求項１】
ステアリングホイールによる操舵を補助可能なアシスト力を出力するモータと、
前記ステアリングホイールによる操舵トルクを検出するトルクセンサと、
前記操舵トルクに基づいて前記モータの電流指令値を演算する演算手段と、
前記電流指令値に基づいて前記モータによるアシスト力の発生を制御する制御手段と、
を備えた電気式動力舵取装置において、
前記モータ、前記トルクセンサ、前記演算手段、前記制御手段およびこれらを電気的にそれぞれ接続する接続手段を含めたハードウェアの少なくとも１つの電気的異常を検出する異常検出手段と、
前記異常検出手段により前記ハードウェアの電気的異常が検出された場合、前記モータによるアシスト力の出力が減少するように前記制御手段を制御する異常時制御手段と、
前記異常検出手段により前記ハードウェアの電気的異常が検出されてから当該電気的異常が検出されなくなるまでの異常継続時間を計測する計時手段と、
前記異常検出手段による前記ハードウェアの電気的異常の検出後、前記異常検出手段により当該電気的異常が検出されなくなった場合、前記異常継続時間が所定時間未満であるときには、前記モータによるアシスト力の出力が所定の復帰値まで直ちに増加するように前記制御手段を制御し、前記異常継続時間が所定時間以上であるときには、前記モータによるアシスト力の出力が所定の復帰値まで徐々に増加するように前記制御手段を制御する復帰時制御手段と、
を備えることを特徴とする電気式動力舵取装置。
【請求項２】
前記モータの電流指令値を記憶する記憶手段を備えた請求項１記載の電気式動力舵取装置であって、
前記異常継続時間が所定時間未満である場合、
前記所定の復帰値は、前記電気的異常の検出直前に前記記憶手段に記憶された前記電流指令値に基づいて出力される前記モータによるアシスト力であることを特徴とする電気式動力舵取装置。
【請求項３】
ステアリングホイールによる操舵を補助可能なアシスト力を出力するモータと、
前記ステアリングホイールによる操舵トルクを検出するトルクセンサと、
前記操舵トルクに基づいて前記モータの電流指令値を演算する演算手段と、
前記電流指令値に基づいて前記モータによるアシスト力の発生を制御する制御手段と、
を備えた電気式動力舵取装置において、
前記モータ、前記トルクセンサ、前記演算手段、前記制御手段およびこれらを電気的にそれぞれ接続する接続手段を含めたハードウェアの少なくとも１つの電気的異常を検出する異常検出手段と、
前記異常検出手段により前記ハードウェアの電気的異常が検出された場合、前記モータによるアシスト力の出力が減少するように前記制御手段を制御する異常時制御手段と、
前記異常検出手段により前記ハードウェアの電気的異常が検出されてから当該電気的異常が検出されなくなるまでの異常継続時間を計測する計時手段と、
前記異常検出手段による前記ハードウェアの電気的異常の検出後、前記異常検出手段により当該電気的異常が検出されなくなった場合、前記モータによるアシスト力の出力を所定の復帰値まで増加させる速度が、前記異常継続時間が短いほど速くなり、前記異常継続時間が長いほど遅くなるように、前記異常継続時間に基づいて前記制御手段を制御する復帰時制御手段と、
を備えることを特徴とする電気式動力舵取装置。
【請求項４】
前記モータの電流指令値を記憶する記憶手段を備えた請求項３記載の電気式動力舵取装置であって、
前記異常継続時間が所定時間未満である場合、
前記所定の復帰値は、前記電気的異常の検出直前に前記記憶手段に記憶された前記電流指令値に基づいて出力される前記モータによるアシスト力であることを特徴とする電気式動力舵取装置。
【発明の詳細な説明】
【技術分野】
【０００１】
本発明は、モータのアシスト力により操舵を補助する電気式動力舵取装置に関するものである。
【背景技術】
【０００２】
電気式動力舵取装置は、一般に、ステアリングホイールによる操舵を補助可能なアシスト力を出力するモータと、ステアリングホイールによる操舵トルクを検出するトルクセンサと、操舵トルクに基づいてモータの電流指令値を演算する演算手段と、電流指令値に基づいてモータによるアシスト力の発生を制御する制御手段と、により構成されており、例えば、演算手段はＥＣＵ（Electronic Control Unit ）により、また制御手段はモータ駆動回路により、それぞれ実現されている。そして、トルクセンサとＥＣＵとの間、またＥＣＵとモータ駆動回路との間、さらにモータ駆動回路とモータとの間、はそれぞれワイヤハーネス（接続手段）によって電気的に接続され、これらの間で送受されるセンサ信号や各種制御信号等のやりとりを可能にしている。
【０００３】
ところで、このようなモータ、トルクセンサ、ＥＣＵ、モータ駆動回路、ワイヤハーネス等のハードウェアにより構成される当該電気式動力舵取装置は、通常、車両に搭載されていることから、エンジンや路面から受ける振動、周囲環境から受ける温湿度変化、排気ガス、砂塵等あるいは経年経時によりこれらのハードウェアの電気的特性に影響を与え、ハードウェアの異常に至ることがある。特に、ワイヤハーネス同士を接続するコネクタやワイヤハーネスとＥＣＵ等の回路基板とを接続するコネクタについては、振動や経年変化によって電気的な接触不良を招くことがあり、また砂利道等を走行中、車輪により跳ね上げられた小石等によってワイヤハーネスを傷つけそれが原因で当該ワイヤハーネスの断線に至たることも想定され得る。
【０００４】
例えば、コネクタの接触不良や回路部品等のはんだ付け不良等を原因とするハードウェアの異常は、振動や温湿度変化の状況によっては必ずしも常に発生するという性質のものではなく、その時々の条件によって異常が発生したりしなかったりする。そのため、このような電気式動力舵取装置においては、例えば、下記特許文献１に開示される「電動操舵装置」のように、異常発生時にはモータのアシストトルク（アシスト力）をゼロとして、二次故障等の発生を防止するフェールセーフ制御を行い、異常発生時から正常な状態に復帰したことを判定すると、当該モータのアシストトルクを規定値まで立ち上げる制御を行い得るような構成を採っている。
【０００５】
そして、アシストトルクを立ち上げる際には、急激にトルクを増加させるのではなく、運転者の操舵時に限って徐々に規定値までトルクを高める制御を行うことにより、アシストトルクの急変を防止し、操舵の違和感を運転者に与えないようにしている。
【特許文献１】特開平１０−１８１６１６号公報（第２頁〜第４頁、図１〜３）
【発明の開示】
【発明が解決しようとする課題】
【０００６】
しかしながら、上記特許文献１に開示される「電動操舵装置」によると、異常時から正常時に復帰するアシストトルクの立ち上げの際に、アシストトルクを急激に増加させることなく、徐々に増加させていることから（特許文献１の請求項１、段落番号００１１，００２９等）、ステアリングホイールが急に軽くなったような操舵感覚、つまり「舵（だ）が抜けた」ような操舵感覚を与えることはないものの、このようにアシストトルクを増加させる制御を運転者による操舵時に限定して行っている（特許文献１の請求項１、段落番号００１１，００２７等、図２，３）。
【０００７】
このため、ハードウェアが正常状態に戻っていても、運転者による操舵がない限り、モータによるアシストトルクが規定値まで立ち上がらないことから、操舵がない場合にはアシストトルクは復帰しない。アシストトルクの発生が運転者による操舵力を補うことを目的とする以上、このような制御によりアシストトルクの増加を操舵時に限定することは、一見合理的ではある。ところが、操舵していない状況下においてハードウェアに異常が発生し直ぐに回復した場合には、その間には運転者により操舵が行われていないことから、その後の操舵の開始時にアシストしない。そのため、このような場合には、ステアリングホイールが急に重くなったような操舵感覚を運転者に与えてしまうので、逆に、操舵感覚の悪化を招くという課題がある。
【０００８】
本発明は、上述した課題を解決するためになされたものであり、その目的とするところは、操舵感覚を向上し得る電気式動力舵取装置を提供することにある。
【課題を解決するための手段】
【０００９】
上記目的を達成するため、特許請求の範囲に記載の請求項１の手段を採用する。この手段によると、異常検出手段により、モータ、トルクセンサ、演算手段、制御手段およびこれらを電気的にそれぞれ接続する接続手段を含めたハードウェアの少なくとも１つの電気的異常を検出し、この異常検出手段によりハードウェアの電気的異常が検出された場合、モータによるアシスト力の出力が減少するように異常時制御手段によって制御手段を制御する。そして、異常検出手段によるハードウェアの電気的異常の検出後、異常検出手段により当該電気的異常が検出されなくなった場合、計時手段により計測した異常継続時間が所定時間未満であるときには、モータによるアシスト力の出力が所定の復帰値まで直ちに増加するように制御手段を制御し、当該異常継続時間が所定時間以上であるときには、モータによるアシスト力の出力が所定の復帰値まで徐々に増加するように復帰時制御手段によって制御手段を制御する。なお、「異常継続時間」とは、ハードウェアの電気的異常が検出されてからその電気的異常が検出されなくなるまでに経過した時間のことである。
【００１０】
これにより、モータやトルクセンサ等のハードウェアに一旦は電気的異常が発生しモータによるアシスト力の出力が減少しても、その後、何らかの理由により当該電気的異常が解消し、この間の異常継続時間が所定時間未満である場合には、モータによるアシスト力の出力が所定の復帰値まで直ちに増加するので、ステアリングホイールが急に重くなるような操舵感覚を与えることを防止できる。一方、当該異常継続時間が所定時間以上である場合には、モータによるアシスト力の出力が所定の復帰値まで徐々に増加するので、ステアリングホイールがある程度重くなっても、その後のアシスト力の緩やかな増加によりステアリングホイールの回転が急に軽くなる、つまり「急に舵が抜ける」というような操舵感覚を与えることを防止できる。
【００１１】
上記目的を達成するため、特許請求の範囲に記載の請求項３の手段を採用する。この手段によると、異常検出手段により、モータ、トルクセンサ、演算手段、制御手段およびこれらを電気的にそれぞれ接続する接続手段を含めたハードウェアの少なくとも１つの電気的異常を検出し、この異常検出手段によりハードウェアの電気的異常が検出された場合、モータによるアシスト力の出力が減少するように異常時制御手段によって制御手段を制御する。そして、異常検出手段によるハードウェアの電気的異常の検出後、異常検出手段により当該電気的異常が検出されなくなった場合、モータによるアシスト力の出力を所定の復帰値まで増加させる速度が、異常継続時間が短いほど速くなり、異常継続時間が長いほど遅くなるように、異常継続時間に基づいて復帰時制御手段により制御手段を制御する。
【００１２】
これにより、モータやトルクセンサ等のハードウェアに一旦は電気的異常が発生しモータによるアシスト力の出力が減少しても、その後、何らかの理由により当該電気的異常が解消した場合には、異常継続時間に基づいてアシスト力が増加する速度を制御するので、当該異常継続時間が短いほどアシスト力が急速に増加し、当該異常継続時間が長いほどアシスト力が緩慢に増加する。このため、当該異常継続時間が極めて短い場合（例えば数ミリ秒間）には、モータによるアシスト力の出力が所定の復帰値まで急峻に増加するので、ステアリングホイールが急に重くなるような操舵感覚を与えることを防止できる。一方、当該異常継続時間が極めて長い場合（例えば数秒間）には、モータによるアシスト力の出力が所定の復帰値まで緩慢に増加するので、ステアリングホイールがある程度重くなっても、その後のアシスト力の緩やかな増加によりステアリングホイールの回転が急に軽くなる、つまり「急に舵が抜ける」というような操舵感覚を与えることを防止できる。
【００１３】
特許請求の範囲に記載の請求項２または請求項４の手段を採用することによって、異常継続時間が所定時間未満である場合には、所定の復帰値は、電気的異常の検出直前に記憶手段に記憶された電流指令値に基づいて出力されるモータによるアシスト力であることから、当該電気的異常の検出直前の電流指令値に基づいてモータによるアシスト力の出力が直ちに増加する。これにより、異常継続時間が所定時間未満である場合には、当該電気的異常の検出直前の操舵感覚を運転者に与えることができる。
【発明の効果】
【００１４】
請求項１の発明では、モータやトルクセンサ等のハードウェアに一旦は電気的異常が発生しモータによるアシスト力の出力が減少しても、その後、何らかの理由により当該電気的異常が解消し、この間の異常継続時間が所定時間未満である場合には、モータによるアシスト力の出力が所定の復帰値まで直ちに増加するので、ステアリングホイールが急に重くなるような操舵感覚を与えることを防止できる。一方、当該異常継続時間が所定時間以上である場合には、モータによるアシスト力の出力が所定の復帰値まで徐々に増加するので、ステアリングホイールがある程度重くなっても、その後のアシスト力の緩やかな増加によりステアリングホイールの回転が急に軽くなる、つまり「急に舵が抜ける」というような操舵感覚を与えることを防止できる。したがって、異常継続時間の長さに応じてアシスト力の急増または漸増を決定するので、操舵感覚を向上することができる。
【００１５】
請求項３の発明では、モータやトルクセンサ等のハードウェアに一旦は電気的異常が発生しモータによるアシスト力の出力が減少しても、その後、何らかの理由により当該電気的異常が解消した場合には、異常継続時間に基づいてアシスト力が増加する速度を制御するので、当該異常継続時間が短いほどアシスト力が急速に増加し、当該異常継続時間が長いほどアシスト力が緩慢に増加する。このため、当該異常継続時間が極めて短い場合（例えば数ミリ秒間）には、モータによるアシスト力の出力が所定の復帰値まで急峻に増加するので、ステアリングホイールが急に重くなるような操舵感覚を与えることを防止できる。一方、当該異常継続時間が極めて長い場合（例えば数秒間）には、モータによるアシスト力の出力が所定の復帰値まで緩慢に増加するので、ステアリングホイールがある程度重くなっても、その後のアシスト力の緩やかな増加によりステアリングホイールの回転が急に軽くなる、つまり「急に舵が抜ける」というような操舵感覚を与えることを防止できる。したがって、異常継続時間の長さに応じてアシスト力の急増または漸増を決定するので、操舵感覚を向上することができる。
【００１６】
請求項２または請求項４の発明では、異常継続時間が所定時間未満である場合には、当該電気的異常の検出直前の操舵感覚を運転者に与えることができる。したがって、操舵感覚を一層向上することができる。
【発明を実施するための最良の形態】
【００１７】
以下、本発明の電気式動力舵取装置に係る一実施形態を図１〜６に基づいて説明する。まず本実施形態の電気式動力舵取装置２０のハードウェア構成を図１(A) 、図１(B) を参照して説明する。
図１(A) に示すように、電気式動力舵取装置２０は、自動車等の車両の操舵を操舵力の面から補助する装置で、主に、ステアリングホイール２１、ステアリング軸２２、ピニオン入力軸２３、トルクセンサ２４、減速機２７、ラックアンドピニオン２８、ロッド２９、モータＭ、ＥＣＵ３０、モータ回転角センサ３３等から構成されている。
【００１８】
図１(A) に示すように、ステアリングホイール２１には、ステアリング軸２２の一端側が接続されており、このステアリング軸２２の他端側にはトルクセンサ２４の入力側が接続されている。またこのトルクセンサ２４の出力側には、ラックアンドピニオン２８のピニオン入力軸２３の一端側が接続されている。トルクセンサ２４は、図略のトーションバーとこのトーションバーを挟むようにトーションバーの両端に取り付けられた２つのレゾルバとからなり、トーションバーの一端側を入力、他端側を出力とする入出力間で生じるトーションバーの捻れ量等を当該２つのレゾルバにより検出することで、ステアリングホイール２１による操舵トルクＴｈや操舵角θＨを検出し得るように構成されている。
【００１９】
トルクセンサ２４の出力側に接続されるピニオン入力軸２３の途中には、減速機２７が連結されており、モータＭから出力されるアシスト力をこの減速機２７を介してピニオン入力軸２３に伝達し得るように構成されている。モータＭには、モータＭの回転角θＭを検出可能なモータ回転方向検出手段としてのモータ回転角センサ３３が取り付けられており、このモータ回転角θＭやトルクセンサ２４による操舵トルクＴｈ、操舵角θＨ等に基づいてＥＣＵ３０によるモータＭの駆動制御が行われている。
【００２０】
一方、このピニオン入力軸２３の他端側には、ラックアンドピニオン２８を構成する図略のラック軸のラック溝に噛合可能なピニオンギヤが形成されている。このラックアンドピニオン２８では、ピニオン入力軸２３の回転運動をラック軸の直線運動に変換可能にしており、またこのラック軸の両端にはロッド２９が連結され、さらにこのロッド２９の端部には図略のナックル等を介して操舵輪ＦＲ、ＦＬが連結されている。これにより、ピニオン入力軸２３が回転すると、ラックアンドピニオン２８、ロッド２９等を介して操舵輪ＦＲ、ＦＬの実舵角θTir を変化させることができるので、ピニオン入力軸２３の回転量および回転方向に従った操舵輪ＦＲ、ＦＬの操舵を可能にしている。
【００２１】
ＥＣＵ３０は、図１(B) に示すように、主に、Ａ／Ｄ変換器等の周辺ＬＳＩや半導体メモリ装置等を備えたＭＰＵ(Micro Processor Unit)、トルクセンサ２４やモータ回転角センサ３３あるいは図略の車速センサ等による各種センサ情報（操舵トルク信号、操舵角信号、モータ回転角信号、車速信号）等を入出力可能な入出力インターフェイスＩ／Ｆ、およびＭＰＵから出力されるモータ電流指令に基づいてＰＷＭ制御によるモータ電流をモータＭに供給可能なモータ駆動回路３５から構成されている。なおこのＭＰＵの半導体メモリ装置（以下「メモリ」という。）には、後述する異常時復帰処理を可能にする異常時復帰プログラム等が格納されている。
【００２２】
トルクセンサ２４、モータ回転角センサ３３や車速センサ等とＥＣＵ３０との間、ＥＣＵ３０のモータ駆動回路３５とモータＭとの間あるいはＥＣＵ３０とバッテリ（直流電源装置）との間は、ワイヤハーネスＷＨや図略のコネクタによって電気的に接続されている。なお、図１(B) に示す符号３７は、モータＭに実際に流れるモータ電流を検出し得る電流センサ３７であり、この電流センサ３７により検出されたモータ電流に関するセンサ情報は、モータ電流信号として入出力インターフェイスＩ／Ｆを介してＭＰＵに入力され得るように、ＥＣＵ３０と電流センサ３７との間もワイヤハーネスＷＨやコネクタにより電気的に接続されている。これらのワイヤハーネスＷＨやコネクタは、特許請求の範囲に記載の「接続手段」に相当し得るものである。
【００２３】
このように構成することにより、車両に搭載された電気式動力舵取装置２０では、ステアリングホイール２１による操舵トルクＴｈをトルクセンサ２４により検出し、また車速センサにより車両の走行速度（車速）Ｖを検出する。そして、この操舵トルクＴｈおよび車速Ｖに応じたモータ電流指令値iq＊  をＥＣＵ３０のＭＰＵにより演算し、さらにこのモータ電流指令値iq＊  に基づいてモータＭによるアシスト力の発生をモータ駆動回路３５により制御する。これにより、電気式動力舵取装置２０は、操舵トルクＴｈおよび車速Ｖに応じて発生するモータＭのアシスト力により当該車両の運転者のステアリングホイール２１による操舵を補助可能にしている。
【００２４】
次に、このＥＣＵ３０およびモータ駆動回路３５によるアシスト力の制御処理の概要を図２に基づいて説明する。ＥＣＵ３０のＭＰＵにより行われるアシスト力の制御は、位相補償部３０ａ、電流指令値演算部３０ｂ、異常時復帰処理部３０ｃ、電流制御部３０ｄおよびＰＷＭ演算部３０ｅにより構成されている。なお、異常時復帰処理部３０ｃは、トルクセンサ２４、ＥＣＵ３０、モータ回転角センサ３３、モータ駆動回路３５、電流センサ３７およびこれらを電気的に接続するワイヤハーネスＷＨ、コネクタ等のハードウェアの少なくとも１つに電気的異常（以下「異常」という。）が発生した場合に、異常時復帰処理（図３）により制御されるものである。そのため、ここでは異常時復帰処理部３０ｃによる制御内容の詳細な説明は行わず、図３に示す異常時復帰処理の説明と併せて行う。
【００２５】
まずトルクセンサ２４により検出された操舵トルクＴｈは、入出力インターフェイスＩ／Ｆを介してＭＰＵに入力されると、電気式動力舵取装置２０の安定性を高めるために位相補償部３０ａにより位相補償処理が行われた後、電流指令値演算部３０ｂに出力される。位相補償された操舵トルクＴｈが入力される電流指令値演算部３０ｂには、図略の車速センサにより検出された車速Ｖも入力されるので、電流指令値演算部３０ｂでは、ＭＰＵのメモリに予め記憶されているアシストマップに基づいて、操舵トルクＴｈおよび車速Ｖに対応した電流指令値iq＊  を演算する。この電流指令値演算部３０ｂでは、操舵トルクＴｈのみならず車速Ｖにも対応した電流指令値iq＊  の演算を行っているので、例えば、車速Ｖが小さいときには大きなアシスト力を出力するように、また車速Ｖが大きいときには小さなアシスト力を出力するように、電流指令値iq＊  を演算する、いわゆる車速依存型の電流指令値演算が行われている。
【００２６】
トルクセンサ２４等のハードウェアが正常な場合（異常でない場合）には、後述するように可変ゲイン・漸増目標値演算部３０c2により可変ゲインＧｖに１が設定されるので、電流指令値演算部３０ｂにより演算された電流指令値iq＊  に可変ゲインＧｖ（＝１）を乗じた演算を可変ゲイン・漸増目標値演算部３０c2により行うことによって、減増処理部３０c1によりゲイン可変後電流指令値iq'＊が電流制御部３０ｄに出力される。これにより、当該ハードウェアの正常時には、実質的に異常時復帰処理部３０ｃでは何も行われることなく、電流指令値演算部３０ｂから出力された電流指令値iq＊  がゲイン可変後電流指令値iq'＊（この場合、iq'＊＝iq＊  ）としてそのまま電流制御部３０ｄに出力される。
【００２７】
ゲイン可変後電流指令値iq'＊（＝iq＊  ）が入力された電流制御部３０ｄでは、電流センサ３７により検出された実際のモータ電流との差に相当する信号に基づいて、ＰＩ制御値やＰＩＤ制御値を演算し、この制御値をＰＷＭ演算部３０ｅに出力する。ＰＷＭ演算部３０ｅでは、この制御値に応じたＰＷＭ演算を行い、その演算結果であるＰＷＭ制御信号をモータ駆動回路３５に出力する。この結果、モータ駆動回路３５では、これらの制御信号に基づいてモータＭを駆動制御することでモータＭによる適正なアシスト力を発生させることが可能となる。
【００２８】
ここで、ＥＣＵ３０による異常時復帰処理部３０ｃの処理概要を図２〜図６に基づいて説明する。この異常時復帰処理部３０ｃは、例えば図３に示す異常時復帰処理をＥＣＵ３０のＭＰＵにより１トリップ中、継続的に実行することによって実現されるものである。なお、この図３に示す異常時復帰処理は、ＭＰＵのメモリに格納されている異常時復帰プログラムを実行することにより実現される。また「１トリップ」とは、当該車両のイグニッションスイッチがオンされてから当該イグニッションスイッチがオフされるまでの期間のことをいう。
【００２９】
図３に示すように、異常時復帰処理では、まずステップＳ１０１により初期化処理が行われる。即ち、ＭＰＵのメモリ（ＤＲＡＭ、ＳＲＡＭ、レジスタ等）や入出力インターフェイスＩ／Ｆ等の異常の有無を確認するセルフテストや、異常時復帰処理に用いられる制御変数や作業領域として当該メモリに確保される所定領域に所定の初期値を設定する処理を行う。これにより、カウンタCNT の値には「０」（ゼロ）が設定され、また可変ゲインＧｖは「１」に設定される。図２に示す異常時復帰処理部３０ｃにおいては記憶部３０c3が当該メモリに相当する。
【００３０】
次のステップＳ１０２では、現在の電流指令値iq＊  をメモリに記憶する処理が行われる。即ち、図２に示す電流指令値演算部３０ｂにより演算された電流指令値iq＊  を記憶部３０c3（メモリ）に記憶する処理を行う。これにより、後述するステップＳ１２１やＳ１３１によって異常発生前の電流指令値iq＊  を当該メモリから読み出すことが可能となる。なお、このステップＳ１０２および記憶部３０c3は、特許請求の範囲に記載の「記憶手段」に相当し得るものである。
【００３１】
続くステップＳ１０３では、トルクセンサ２４等のハードウェアに異常が発生しているか否かを検出する処理が行われる。この処理は、例えば、トルクセンサ２４からＭＰＵに入力される操舵トルクＴｈのデータ値が所定範囲を超えているか否かを監視することにより行う。また、車速センサや電流センサ３７等の各センサから入力されるデータ値についても同様に監視を行い、さらにＥＣＵ３０自体の異常については、例えば、ステップＳ１０１による初期化処理において行われたセルフテストの結果に基づいてメモリや入出力インターフェイスＩ／Ｆ等に異常があるか否かを検出する。なお、ステップＳ１０３による異常検出の対象は、トルクセンサ２４、ＥＣＵ３０、モータ回転角センサ３３、モータ駆動回路３５、電流センサ３７およびこれらを電気的に接続するワイヤハーネスＷＨ、コネクタ等のハードウェアで、これらは特許請求の範囲に記載の「ハードウェア」に相当し得るものである。また、このステップＳ１０３は、特許請求の範囲に記載の「異常検出手段」に相当し得るものである。
【００３２】
ステップＳ１０５では、ステップＳ１０３による異常検出の結果に基づいて、異常発生の有無を判断する処理が行われる。そして、当該異常が発生している場合には（Ｓ１０５でＹｅｓ）、ステップＳ１０６に処理を移行し、当該異常が発生していない場合には（Ｓ１０５でＮｏ）、ステップＳ１０２に処理を移行する。これにより、トルクセンサ２４等のハードウェアに異常が発生していない場合には（Ｓ１０５でＮｏ）、再度、ステップＳ１０３によってハードウェアに異常が発生しているか否かを検出する処理が行われる。
【００３３】
ステップＳ１０６では、カウンタCNT を起動する処理が行われる。このカウンタCNT は、本ステップにより起動され、その後、ステップＳ１１２により停止されることで、その間の時間、つまり異常継続時間ｔを計測可能にするものである。これにより、例えば、図４(A) に示す異常発生から正常確定までの異常継続時間t1や図４(B) に示す異常発生から正常確定までの異常継続時間t2を計測することができる。なお、このカウンタCNT 、ステップＳ１０６、Ｓ１１２は、特許請求の範囲に記載の「計時手段」に相当し得るものである。
【００３４】
ステップＳ１０７では、急減処理が行われる。即ち、異常時復帰処理部３０ｃの可変ゲイン・漸増目標値演算部３０c2により減少目標値を０（ゼロ）または略０（ほぼゼロ）に設定し、異常時復帰処理部３０ｃにより出力されるゲイン可変後電流指令値iq'＊が当該急減目標値に到達するまで電流制御部３０ｄに出力するゲイン可変後電流指令値iq'＊を減増処理部３０c1により急速に絞る処理を行う。これにより、モータ駆動回路３５からモータＭに対して出力されるモータ電流が急激に減少するので、図４(A) や図４(B) に示すように、当該ハードウェアの異常発生後、モータＭによるアシスト力のレベル（以下「アシストレベル」という。）が直ちに減少するようにアシスト制御を行うことができる。なおこのステップＳ１０７および減増処理部３０c1は、特許請求の範囲に記載の「異常時制御手段」に相当し得るものである。
【００３５】
次のステップＳ１０９では、トルクセンサ２４等のハードウェアに異常が発生しているか否かを検出する処理が行われる。この処理は、前述したステップＳ１０３とほぼ同様で、例えば、各センサのデータ値が所定範囲を超えているか否か等の監視を行うことによって、ステップＳ１０３により一旦、異常が発生したと判断されても、正常状態に戻る可能性があるのでその有無を検出する。なお、このステップＳ１０９は、特許請求の範囲に記載の「異常検出手段」に相当し得るものである。
【００３６】
即ち、ステップＳ１０９による異常検出の対象であるハードウェア（トルクセンサ２４、ＥＣＵ３０、モータ回転角センサ３３、モータ駆動回路３５、電流センサ３７およびこれらを電気的に接続するワイヤハーネスＷＨ、コネクタ等）の異常は、例えば、コネクタの接触不良や回路部品等のはんだ付け不良等により振動や温湿度変化の状況によっては必ずしも常に発生するという性質のものではなく、その時々の条件によって異常が発生したりしなかったりするし、またワイヤハーネスＷＨは、断線しかかった状態からセンサ信号等の導通を不能にする完全に断線した状態に至るまでには、導通・不通を数回繰り返し得る。そのため、例えば、数ミリ秒〜数秒程度の期間において「異常→正常→異常→正常…」の各状態を繰り返す可能性があるので、本ステップＳ１０９によりハードウェアの異常を再度検出するようにしている。
【００３７】
続くステップＳ１１１では、正常確定したか否かの判断処理が行われる。即ち、ステップＳ１０９により検出されたハードウェアの異常の有無に基づいて当該ハードウェアが正常状態に復帰したか否かを判断する。そして、もし所定期間以上正常状態に復帰していれば正常確定と判断し（Ｓ１１１でＹｅｓ）、次のステップＳ１１２に処理を移行する。一方、異常状態を維持しており、正常確定と判断することができない場合には（Ｓ１１１でＮｏ）、ステップＳ１０９に処理を移行して、再度、ハードウェアの異常を検出する。
【００３８】
ステップＳ１１２では、ステップＳ１０６により起動したカウンタCNT を停止させる処理が行われる。このカウンタCNT の値から異常継続時間ｔ、即ちトルクセンサ２４等のハードウェアの電気的異常が検出されてからその電気的異常が検出されなくなるまでに経過した時間が得られる。
【００３９】
続くステップＳ１１３では、ステップＳ１１２により得た異常継続時間ｔと予め設定されている所定閾値時間thとの関係を判断する処理が行われる。即ち、異常継続時間ｔが所定閾値時間th未満であるか（Ｓ１１３で「＜」）、異常継続時間ｔが所定閾値時間th以上であるか（Ｓ１１３で「≧」）を判断する。そして、異常継続時間ｔが所定閾値時間th未満である場合には（Ｓ１１３で「＜」）、ステップＳ１２１に処理を移行し、また異常継続時間ｔが所定閾値時間th以上である場合には（Ｓ１１３で「≧」）、ステップＳ１３１に処理を移行する。なお、所定閾値時間thは、例えば１秒に設定される。またこの所定閾値時間thは、特許請求の範囲に記載の「所定時間」に相当し得るものである。
【００４０】
ステップＳ１２１〜Ｓ１２３は、異常継続時間ｔが所定閾値時間th未満である場合に行われる処理で、モータＭによるアシスト力の出力を復帰目標値（所定の復帰値）まで直ちに増加させる処理が行われる。これにより、例えば、図４(B) に示すように、異常継続時間t2が極めて短い場合（例えば数ミリ秒間）には、モータＭによるアシスト力の出力が復帰目標値まで急峻に増加するので、ステアリングホイール２１が急に重くなるような操舵感覚を与えることを防止可能にする。
【００４１】
まず、ステップＳ１２１により、異常発生前の電流指令値iq＊  をメモリから読み出す処理が行われる。即ち、ステップＳ１０２により、当該ハードウェアに異常が検出される直前の正常時における電流指令値iq＊  を記憶部３０c3（メモリ）に記憶しているので、これを当該メモリから読み出す処理を行う。
【００４２】
次に、ステップＳ１２２により急増目標値を演算する処理が行われ、さらにステップＳ１２３により急増処理が行われる。即ち、記憶部３０c3（メモリ）から読み出された異常発生前の電流指令値iq＊  に基づいて可変ゲイン・漸増目標値演算部３０c2により異常発生直前のアシストレベルを急増目標値（所定の復帰値）として設定し（ステップＳ１２２）、異常時復帰処理部３０ｃにより出力されるゲイン可変後電流指令値iq'＊が当該急増目標値に到達するまで電流制御部３０ｄに出力するゲイン可変後電流指令値iq'＊を減増処理部３０c1により直ちに増加させる処理を行う（Ｓ１２３）。これにより、モータ駆動回路３５からモータＭに対して出力されるモータ電流が急激に増加するので、図４(B) に示すような特性となる（同図の符号β）。
【００４３】
一方、ステップＳ１３１〜Ｓ１３３は、異常継続時間ｔが所定閾値時間th以上である場合に行われる処理で、モータＭによるアシスト力の出力を復帰目標値（所定の復帰値）まで徐々に増加させる処理が行われる。これにより、例えば、図４(A) に示すように、異常継続時間t1が極めて長い場合（例えば数秒間）には、モータＭによるアシスト力の出力が復帰目標値まで緩慢に増加するので、ステアリングホイール２１がある程度重くなっても、その後のアシスト力の緩やかな増加によりステアリングホイール２１の回転が急に軽くなる、つまり「急に舵が抜ける」というような操舵感覚を与えることを防止可能にする。
【００４４】
まず、ステップＳ１３１により、異常発生前の電流指令値iq＊  をメモリから読み出す処理が行われる。この処理は、前述したステップＳ１２１と同様で、記憶部３０c3に記憶されているハードウェアの異常検出直前の正常時における電流指令値iq＊  を読み出す。
【００４５】
次に、ステップＳ１３２により漸増目標値を演算する処理が行われ、さらにステップＳ１３３により漸増処理が行われる。即ち、記憶部３０c3（メモリ）から読み出された異常発生前の電流指令値iq＊  に基づいて可変ゲイン・漸増目標値演算部３０c2により異常発生直前のアシストレベルを漸増目標値（所定の復帰値）として設定し（ステップＳ１３２）、異常時復帰処理部３０ｃにより出力されるゲイン可変後電流指令値iq'＊が当該漸増目標値に到達するまで電流制御部３０ｄに出力するゲイン可変後電流指令値iq'＊を減増処理部３０c1により徐々に増加させる処理を行う（Ｓ１３３）。これにより、モータ駆動回路３５からモータＭに対して出力されるモータ電流が緩慢に増加するので、図４(A) に示すような特性となる（同図の符号α）。
【００４６】
なお、これらのステップＳ１２１、Ｓ１２２、Ｓ１２３、Ｓ１３１、Ｓ１３２、Ｓ１３３、減増処理部３０c1および可変ゲイン・漸増目標値演算部３０c2は、特許請求の範囲（請求項１）に記載の「復帰時制御手段」に相当し得るものである。
【００４７】
このように本実施態様に係る電気式動力舵取装置２０によると、ＥＣＵ３０のＭＰＵに実行される異常時復帰処理によって、モータＭ、トルクセンサ２４、ＥＣＵ３０、モータ駆動回路３５およびこれらを電気的にそれぞれ接続するワイヤハーネスＷＨを含めたハードウェアの少なくとも１つの異常を検出し（Ｓ１０３）、当該異常が検出された場合（Ｓ１０５でＹｅｓ）、モータＭによるアシスト力の出力が急減するように減増処理部３０c1、電流制御部３０ｄ、ＰＷＭ演算部３０ｅによってモータ駆動回路３５を制御する（ステップＳ１０７）。そして、ステップＳ１０３によるハードウェアの異常の検出後、ステップＳ１０９により当該異常が検出されなくなった場合（Ｓ１１１でＹｅｓ）、カウンタCNT （ステップＳ１０６、Ｓ１１２）により計測した異常継続時間ｔが所定閾値時間th未満であるときには（Ｓ１１３で「＜」）、モータＭによるアシスト力の出力が急増目標値（所定の復帰値）まで直ちに増加するように、減増処理部３０c1、可変ゲイン・漸増目標値演算部３０c2、電流制御部３０ｄ、ＰＷＭ演算部３０ｅによってモータ駆動回路３５を制御し（Ｓ１２１〜Ｓ１２３）、当該異常継続時間ｔが所定閾値時間th以上であるときには、モータＭによるアシスト力の出力が漸増目標値（所定の復帰値）まで徐々に増加するように、減増処理部３０c1、可変ゲイン・漸増目標値演算部３０c2、電流制御部３０ｄ、ＰＷＭ演算部３０ｅによってモータ駆動回路３５を制御する（Ｓ１３１〜Ｓ１３３）。
【００４８】
これにより、モータＭやトルクセンサ２４等のハードウェアに一旦は電気的異常が発生しモータＭによるアシスト力の出力が減少しても、その後、何らかの理由により当該電気的異常が解消し、この間の異常継続時間ｔが所定閾値時間th未満である場合には、モータＭによるアシスト力の出力が急増目標値まで直ちに増加するので、ステアリングホイール２１が急に重くなるような操舵感覚を与えることを防止できる。一方、当該異常継続時間ｔが所定閾値時間th以上である場合には、モータＭによるアシスト力の出力が漸増目標値まで徐々に増加するので、ステアリングホイール２１がある程度重くなっても、その後のアシスト力の緩やかな増加によりステアリングホイール２１の回転が急に軽くなる、つまり「急に舵が抜ける」というような操舵感覚を与えることを防止できる。したがって、異常継続時間ｔの長さに応じてアシスト力の急増または漸増を決定するので、操舵感覚を向上することができる。
【００４９】
また、本実施形態に係る電気式動力舵取装置２０では、モータＭの電流指令値iq＊  を記憶可能な記憶部３０c3を備えており、これに、当該異常の検出直前の電流指令値iq＊  を記憶している（Ｓ１０２）。そして、異常発生の後に記憶部３０c3に記憶された異常の検出直前の電流指令値iq＊  を読み出し（Ｓ１２１）、これに基づいて可変ゲイン・漸増目標値演算部３０c2により異常発生直前のアシストレベルを急増目標値として設定しているので（ステップＳ１２２）、当該異常の検出直前の操舵感覚を運転者に与えることができる。したがって、操舵感覚を一層向上することができる。
【００５０】
なお、図３に示すフローチャートでは、異常継続時間ｔが所定閾値時間th以上である場合に行われる処理として、ステップＳ１３１により読み出された異常発生前の電流指令値iq＊  に基づいて漸増目標値（所定の復帰値）を設定したが（ステップＳ１３２）、これに限られず、例えばステップＳ１３１を削除して異常発生前の電流指令値iq＊  に関係なく、例えば、最大アシストレベルの８０％というように、予め決定されている復帰目標値（所定の復帰値）をステップＳ１３２により設定しても良い。例えば、ハードウェアの異常が検出されてから、例えば１秒以上の時間が経過している場合には、当該異常継続時間t1の間に当該異常発生直前とは異なった操舵が運転者により行われている可能性が高い。そのため、このように当該異常発生前の電流指令値iq＊  に関係なく、予め設定された復帰目標値まで徐々に増加させることが可能にしても（図４(A) に示す符号α’）、操舵感覚を向上することができる。
【００５１】
ここで、図３を参照して説明した異常時復帰処理の改変例を、図２、図５および図６に基づいて説明する。なお、図５に示す異常時復帰処理（改変例）は、図３に示す異常時復帰処理のステップＳ１１３以降を、ステップＳ２０２、Ｓ２０４、Ｓ２０６、Ｓ２０８に置き換えたものである。そのため、図３に示す異常時復帰処理と実質的に同一の処理内容については、同一符号を付しそれらの説明を省略する。
【００５２】
図５に示すように、本改変例に係る異常時復帰処理も、図３に示すものと同様に、ＥＣＵ３０のＭＰＵにより１トリップ中、継続的に実行することによって実現されるもので、ＭＰＵのメモリに格納されている他の異常時復帰プログラムを実行することにより実現される。ステップＳ１０１〜Ｓ１１２までは、図３に示す異常時復帰処理と同様に処理されるので、ここでは、ステップＳ１１２によりカウンタCNT を停止した以後の処理について説明する。
【００５３】
図５に示すように、ステップＳ１１２の次のステップＳ２０２では、異常発生前の電流指令値iq＊  をメモリから読み出す処理が行われる。この処理は、図３に示すステップＳ１２１やステップＳ１３１と同様で、記憶部３０c3に記憶されているハードウェアの異常検出直前の正常時における電流指令値iq＊  を読み出す。
【００５４】
続くステップＳ２０４では、復帰目標値を演算する処理が行われる。即ち、ステップＳ２０２により記憶部３０c3（メモリ）から読み出された異常発生前の電流指令値iq＊  に基づいて、可変ゲイン・漸増目標値演算部３０c2により異常発生直前のアシストレベルを復帰目標値（所定の復帰値）として設定する処理が行われる。これにより、例えば、図６(A) に示すように、異常発生直前のアシストレベル（例えば１００％）に復帰させることが可能になる。
【００５５】
なお、このように当該異常発生前の電流指令値iq＊  に基づいて復帰目標値を設定するのではなく、例えば、予め決定されている別の復帰目標値（所定の復帰値）をステップＳ２０４により設定しても良い。例えば、ハードウェアの異常が検出されてから、例えば１秒以上の時間が経過している場合には、当該異常継続時間t1の間に当該異常発生直前とは異なった操舵が運転者により行われている可能性が高い。そのため、異常継続時間ｔの長さに基づいて、当該異常継続時間ｔが１秒以上であった場合には、このように当該異常発生前の電流指令値iq＊  に関係なく、別の復帰目標値（例えば図６(A) に示す符号α’の８０％のアシストレベル）を設定するというアルゴリズムを採用しても良い。これにより、操舵感覚をより向上することができる。
【００５６】
次のステップＳ２０６では、異常継続時間ｔに基づいて漸増ゲインＧｖ’の増加度ΔＧを設定する処理が行われる。即ち、図６(B) に示すように、漸増ゲインＧｖ’は、正常確定後からの時間経過とともに所定の一定ゲインＧｃ（例えばゲイン１．０（同図に示すＧｃ1.0 ））まで時定数Ｔｇで増加する特性を有する。そのため、異常継続時間ｔが短いほど漸増ゲインＧｖ’の増加度ΔＧが大きくなり、異常継続時間ｔが長いほど漸増ゲインＧｖ’の増加度ΔＧが小さくなるように、当該増加度ΔＧを設定したり、あるいは異常継続時間ｔが短いほど漸増ゲインＧｖ’の時定数Ｔｇが小さくなり、異常継続時間ｔが長いほど漸増ゲインＧｖ’の時定数Ｔｇが大きくなるように、当該時定数Ｔｇを設定する。
【００５７】
なお、この増加度ΔＧは、単位時間当たりの漸増ゲインＧｖ’の増加割合を表すもので、正常確定後における漸増ゲインＧｖ’の増加分を表す傾きのことである。また、時定数Ｔｇは、漸増ゲインＧｖ’が所定の一定ゲインＧｃに達するまでに要する時間のことをいい、当該時定数Ｔｇが小さいほど漸増ゲインＧｖ’の増加度ΔＧが大きく、当該時定数Ｔｇが大きいほど漸増ゲインＧｖ’の増加度ΔＧが小さくなる。
【００５８】
図６(B) に示す例では、実線によるものが最も増加度ΔＧが大きく（最も時定数Ｔｇが小さく）、「破線によるもの」、「一点鎖線によるもの」の順番に増加度ΔＧが減少し（時定数Ｔｇが増加し）、「二点鎖線によるもの」が最も増加度ΔＧが小さい（最も時定数Ｔｇが大きい）。なお、図６(B) に示す「点線によるもの」（所定の一定ゲインＧｃ0.8 ）は、前述した異常発生前の電流指令値iq＊  に関係なく、別の復帰目標値を設定した場合に用いられる漸増ゲインＧｖ’の上限値ゲイン０．８である。
【００５９】
ステップＳ２０８では、ステップＳ２０６により設定された漸増ゲインＧｖ’の増加度ΔＧまたは時定数Ｔｇに基づいて漸増目標値までアシストレベルを増加させる復帰処理が行われる。例えば、図６(A) に示す実線の特性のように、異常発生から正常確定までの時間が比較的短く１ミリ秒の場合には（例えば同図に示す正常確定(1) ）、図６(B) に示すように、漸増ゲインＧｖ’の増加度ΔＧまた時定数Ｔｇは、ステップＳ２０６により極めて大きくまたは時定数Ｔｇであれば極めて小さく設定されているので、モータＭによるアシスト力の出力は復帰目標値まで急激に増加する（図６(A) に示す実線βによる特性）。
【００６０】
これに対し、異常発生から正常確定までの時間が比較的長く数秒の場合には（例えば同図に示す正常確定(4) ）、図６(B) に示す二点鎖線の特性のように、漸増ゲインＧｖ’の増加度ΔＧまた時定数Ｔｇは、ステップＳ２０６により小さくまたは時定数Ｔｇであれば大きく設定されているので、モータＭによるアシスト力の出力は復帰目標値まで緩やかに増加する（図６(A) に示す二点鎖線α3 による特性）。
【００６１】
また、異常発生から正常確定までの時間がこれらの中間の場合には（例えば同図に示す正常確定(2) の１秒、(3) の２秒）、図６(B) に示す破線または一点鎖線の特性のように、漸増ゲインＧｖ’の増加度ΔＧまた時定数Ｔｇは、実線によるものと二点鎖線によるものとの中間にそれぞれ設定されているので、モータＭによるアシスト力の出力はそれらに従った割合で復帰目標値まで増加する（図６(A) に示す破線α1 による特性や一点鎖線α2 による特性）。
【００６２】
なお、これらのステップＳ２０２、Ｓ２０４、Ｓ２０６、Ｓ２０８、減増処理部３０c1および可変ゲイン・漸増目標値演算部３０c2は、特許請求の範囲（請求項３）に記載の「復帰時制御手段」に相当し得るものである。
【００６３】
このように、図５に示す異常時復帰処理（改変例）では、そのゲインが正常確定後からの経過時間に従って増加する漸増ゲインＧｖ’という概念を設け、ハードウェアに異常が発生した時から正常状態の確定までに要した時間（異常継続時間ｔ）に基づいてこの漸増ゲインＧｖ’の増加度ΔＧまた時定数Ｔｇを設定する（Ｓ２０６）。これにより、モータＭによるアシストレベルが漸増目標値（所定の復帰値）に到達するまでに要する時間を任意に可変することができるので、例えば、当該異常継続時間ｔが極めて短い場合（例えば数ミリ秒間）には、モータＭによるアシスト力の出力が漸増目標値（所定の復帰値）まで急峻に増加するので、ステアリングホイール２１が急に重くなるような操舵感覚を与えることを防止できる。一方、当該異常継続時間ｔが極めて長い場合（例えば数秒間）には、モータＭによるアシスト力の出力が漸増目標値（所定の復帰値）まで緩慢に増加するので、ステアリングホイール２１がある程度重くなっても、その後のアシスト力の緩やかな増加によりステアリングホイール２１の回転が急に軽くなる、つまり「急に舵が抜ける」というような操舵感覚を与えることを防止できる。したがって、異常継続時間ｔの長さに応じてアシスト力の急増または漸増を決定するので、操舵感覚を向上することができる。
【００６４】
なお、上述した実施形態では、図１に示すように、モータＭから出力されるアシスト力を減速機２７を介してピニオン入力軸２３に伝達し得る、いわゆるコラム式の電気式動力舵取装置２０を例示して説明したが、本発明はこれに限られることはなく、例えば、ラックアンドピニオン２８にモータＭおよび減速機２７を内蔵し、このモータＭから出力されるアシスト力を減速機２７を介してラック機構に伝達し得る、いわゆるラック式の電気式動力舵取装置に適用しても良く、このようなラック式の電気式動力舵取装置でも、上述した電気式動力舵取装置２０を同様の作用・効果を得ることができる。また、モータＭは、ブラシレスＤＣモータであっても良い。
【図面の簡単な説明】
【００６５】
【図１】図１(A) は、本発明の一実施形態に係る電気式動力舵取装置の全体構成例を示す構成図で、図１(B) はＥＣＵ等の構成例を示す回路ブロック図である。
【図２】本実施形態に係る電気式動力舵取装置のＥＣＵによる制御概要を示す制御ブロック図である。
【図３】本電気式動力舵取装置のＥＣＵを構成するＭＰＵにより実行される異常時復帰処理の流れを示すフローチャートである。
【図４】図３に示す異常時復帰処理によって得られるアシストレベルの例を示す特性図で、図４(A) は異常継続時間t1が所定閾値時間th以上の場合の特性図で、図４(B) は異常継続時間t2が所定閾値時間thよりも短い場合の特性図である。
【図５】「図３に示す異常時復帰処理」の改変例の流れを示すフローチャートである。
【図６】図６(A) は、図５に示す異常時復帰処理（改変例）によって得られるアシストレベルの例を示す特性図で、図６(B) は漸増ゲインＧｖ’の時間変動の様子を示す特性図である。
【符号の説明】
【００６６】
２０…電気式動力舵取装置
２１…ステアリングホイール
２４…トルクセンサ
３０…ＥＣＵ（演算手段、記憶手段、異常検出手段、異常時制御手段、復帰時制御手段、計時手段）
３０ｃ…異常時復帰処理部（記憶手段、異常時制御手段、復帰時制御手段）
３０c1…減増処理部（異常時制御手段、復帰時制御手段）
３０c2…可変ゲイン・漸増目標値演算部（記憶手段、復帰時制御手段）
３０c3…記憶部（記憶手段）
３０ｄ…電流制御部（異常時制御手段、復帰時制御手段）
３０ｅ…ＰＷＭ演算部（異常時制御手段、復帰時制御手段）
３５…モータ駆動回路（制御手段）
ＭＰＵ…マイクロプロセッサ（演算手段、記憶手段、異常検出手段、異常時制御手段、復帰時制御手段、計時手段）
Ｍ…モータ
ＷＨ…ワイヤハーネス（接続手段）
iq＊  …電流指令値
iq'＊…ゲイン可変後電流指令値
CNT …カウンタ（計時手段）
ｔ、t1、t2…異常継続時間
th…所定閾値時間（所定時間）
【図１】
2006036052.tif 000003
【図２】
2006036052.tif 000004
【図３】
2006036052.tif 000005
【図４】
2006036052.tif 000006
【図５】
2006036052.tif 000007
【図６】
2006036052.tif 000008